(57)【要約】【課題】  褥瘡や床ずれ等に対する良好な環境を形成することができるとともに、介護負担の軽減化を図ることができる介護用マットを提供する点にある。【解決手段】  クッション性を有するクッション層１に対して、少なくとも載置面である上面層２Ａが通気性素材から形成されたカバー２が被覆され、上面層２Ａの載置部２Ａａ、及び、下面層２Ｂの接地部２Ｂａを除くカバー部分に、外部と被覆内部を連通する開口２Ｃが形成されている。【選択図】        図１
2005034392.tif 000002
【特許請求の範囲】
【請求項１】
すくなくとも体の一部分が載置可能な大きさを備えた介護用マットであって、
クッション性を有するクッション層に対して、少なくとも載置面である上面層が通気性素材から形成されたカバーが被覆され、上面層の載置部、及び、下面層の接地部を除くカバー部分に、外部と被覆内部を連通する開口が形成されている介護用マット。
【請求項２】
前記開口が、クッション層の周縁に沿って少なくとも一対形成されている請求項１記載の介護用マット。
【請求項３】
前記カバーの下面層が、防水性部材から形成されている請求項１に記載の介護用マット。
【請求項４】
介護用マットの一方向一端縁と、同構成の介護用マットの一方向他端縁とを連結手段によって着脱自在に構成してあるとともに、各介護用マットには、連結方向と同座標直交する方向のカバー部分に開口が形成されている請求項１、２又は３記載の介護用マット。
【請求項５】
前記クッション層が、体積中の空間部分が全方向に連通形成された立体構造体から形成されている請求項１、２、３又は４記載の介護用マット。
【発明の詳細な説明】
【技術分野】
【０００１】
本発明は、寝床箇所に敷設して使用する介護用マットに関する。
【背景技術】
【０００２】
一般に、衰弱傾向にある老人等の病床人にあっては、寝返りなどもままならない状態になることも多く、同姿勢の状態で寝床との接触状態に至った接触部分に、所謂、褥瘡（じょくそう）や床ずれを生じやすい。
褥瘡や床ずれは、原因の一つに、人体組織の虚血やうっ血による壊死によって生じるものであることがわかっているので、従来から、患部が虚血になるような荷重負担を軽減化するために、介助者が同じ寝姿勢とならないように看護者が注意したりすることが行われている。
近年においては、このような褥瘡や床ずれの軽減化、看護の軽減化を目的とする介護用シートが使用されるようになっている。
また、同様な使用をするものとして、介護用マットが存在している。
この介護用マットとしては、クッション性を有する長方形盤状のクッション体の外周面をカバーで包み込み収容して構成されたものが存在している（例えば、特許文献１参照）。
【０００３】
【特許文献１】実用新案登録第３０７３２８１号公報（第８頁、第１２−１３頁、図２、図４）
【発明の開示】
【発明が解決しようとする課題】
【０００４】
しかしながら、従来の介護用シートや介護用マットは、患部への荷重的な負担を軽減して、褥瘡や床ずれの進行を遅延させる効果があるものの改善を目的に使用されるものではなかった。
そのため、一度、体部分が褥瘡や床ずれ状態になってしまうと治り難く、介護する側の手間等の介護負担を軽減することができるものではなかった。
【０００５】
本発明は、上述の実状に鑑みて為されたものであって、その主たる課題は、褥瘡や床ずれ等に対する良好な環境を形成することができるとともに、介護負担の軽減化を図ることができる介護用マットを提供する点にある。
【課題を解決するための手段】
【０００６】
本発明の請求項１による介護用マットの特徴構成は、すくなくとも体の一部分が載置可能な大きさを備えた構成において、クッション性を有するクッション層に対して、少なくとも載置面である上面層が通気性素材から形成されたカバーが被覆され、上面層の載置部、及び、下面層の接地部を除くカバー部分に、外部と被覆内部を連通する開口が形成されている点にある。
【０００７】
上記特徴構成によれば、クッション層の存在によって、体部分を柔軟に受止めることできるとともに、開口が存在することによって、常に外気と被覆内部とを通気状態にすることができ、例えば、当該介護用マットの上面に、人体部分が載置状態になった場合、人体部分と直接に接触するカバー部分が通気性素材によって体部分との接触性を良好に保ちながら、人体部分の載置部分が常に空気流通下に置かれた状態にすることができる。
【０００８】
従って、柔軟なクッション層によって人体部分との載置部分が虚血になるようなことを
抑制しながら、人体部分との載置部分に湿気ムレなどを軽減することができ、このことによって、例えは、載置される人体部分に褥瘡や床ずれ等があるような場合であっても、載置部分に無用な湿気ムレを生じさせることを防止することができるので、看護用マットとして最良な載置環境を形成することができるとともに、介護負担の軽減化を図ることができる。
【０００９】
本発明の請求項２による介護用マットの特徴構成は、前記開口が、クッション層の周縁に沿って少なくとも一対形成されている点にある。
【００１０】
上記特徴構成によれば、開口が少なくとも一対あれば、カバー内の空気が袋内に閉じ込められるようなことがないので、カバー内の空気流通が円滑で、クッション層に湿気分が滞留しにくい状態を形成することができる。
【００１１】
従って、人体部分と接触する部分の通気性を良好に保つことができるので、使用品質の向上を図ることができる。
【００１２】
本発明の請求項３による介護用マットの特徴構成は、前記カバーの下面層が、防水性部材から形成されている点にある。
【００１３】
上記特徴構成によれば、人体部分との載置部分の十分な通気性を確保しながら、失禁などの体内排出液を下面層が受止める構造になっており、人体部分が載置されるカバー部分はクッション層を介在して下面層とは直接に接触することがないので、載置部分の通気性を確保しながら失禁による排出液を受止めて寝床への汚しを確実に阻止することができる。
【００１４】
従って、介護用商品としての利便性、使用性、信頼性の向上を図ることができる。
【００１５】
本発明の請求項４による介護用マットの特徴構成は、介護用マットの一方向一端縁と、同構成の介護用マットの一方向他端縁とを連結手段によって着脱自在に構成してあるとともに、各介護用マットには、連結方向と同座標直交する方向のカバー部分に開口が形成されている点にある。
【００１６】
上記特徴構成によれば、必要に応じて大きさの異なる介護用マットを形成することができる。
【００１７】
従って、現状に合わせて最適な大きさ状態で使用することができるので、使い勝手がよい。
【００１８】
本発明の請求項５による介護用マットの使用方法の特徴構成は、前記クッション層が、体積中の空間部分が全方向に連通形成された立体構造体から形成されている点にある。
【００１９】
上記特徴構成によれば、通気性の高いクッション層を形成することができる。
【００２０】
従って、看護用マットとして通気品質の向上を図ることができる。
【発明を実施するための最良の形態】
【００２１】
〔第１実施形態〕
以下、本発明を適用した介護用マットＡを説明する。
この介護用マットＡは、図１、図２に示すように、平面視で長方形盤状のクッション層１を備え、このクッション層１の上カバー部分を形成する上面層２Ａが通気性部材から形
成され、クッション層１の下カバー部分を形成する下面層２Ｂが防水性部材から形成されているカバー２が被覆され、上面層２Ａの上面に対応する載置部２Ａａ、及び、下面層２Ｂの下面に対応する接地部２Ｂａを除くカバー部分に、クッション層１の対向する側縁位置の夫々に、外部と被覆内部を連通する開口２Ｃ，２Ｃが形成されている。
【００２２】
前記開口２Ｃ，２Ｃは、クッション層１の周縁に沿う間欠位置、つまり、長方形状の短辺部１a，１ｂに対応するカバー位置に形成されている。
【００２３】
また、前記カバー２の上面層２Ａと下面層２Ｂは、縫製されて両端が開放する筒状のカバー本体２Dを形成するとともに、このカバー本体２Dの両端開口部には、当該開口径よりも小径に環状ゴム３を介して環綴じされて開口２Ｃ，２Ｃが形成され、クッション層１の両短辺部１a，１ｂの周縁を収縮状態の環状ゴム３によって包み込み状態にすることによって、カバー２内にクッション層１が保持されている。ここで、カバー２の下面層２Ｂの周縁は、上面層２Ａの周縁と縫い合わされた状態では、図４に示すように、上方に折り曲げられて全体的に受け皿状に形成され、周縁からの液漏れを阻止可能な防水形状になっている。
【００２４】
前記カバー２の上面層２Ａとしては、肌触りや質感等、体部分との良好な接触性を保つために、使用条件や使用者の要求性能によって異なるが、木綿、羊毛、絹、麻等の天然繊維、ポリエステル、ポリアミド、ポリアクリロニトリル等の合成繊維、レーヨン等の再生繊維、アスベスト、ガラス繊維等の無機繊維等から選ばれる繊維からなる不織布、織物、編物、若しくは、積層物等が用いられる。
【００２５】
また、必要に応じて、抗菌防臭性、制菌性、消臭性、ノネナール消臭性、吸湿性、放湿性、ｐＨ緩衝性、制電性、防汚性、抗ピル性の多機能を発現させることもできる。その加工方法は、特に限定されない。
【００２６】
前記カバー２の下面層２Ｂとしては、防水性素材であるウレタン樹脂、ポリエステル、ポリアミド、ポリアクリロニトリル等の合成繊維、レーヨン等の再生繊維、アスベスト、ガラス繊維等の無機繊維等から選ばれる繊維からなる不織布、織物、編物、若しくは、積層物等の素材を単独、或は、複合して形成された防水性シートを用いて形成されている。
【００２７】
前記クッション層１は、網状弾性体、独立気泡体（ポリウレタン、塩化ビニル系樹脂、ポリエチレン、ポリプロピレン、ＡＢＳ等）及び連続気泡体（ポリウレタン、天然ゴム（ラテックス）、合成ゴム、塩化ビニル系樹脂等）、木綿綿、羊毛綿、高分子ゲル、非弾性捲縮繊維詰綿、非弾性捲縮繊維に接着した樹脂棉や硬綿、及び空気クッション（エアクッション）、及び、３次元（立体）編織物等の単体或いは積層したものを用いることができる。特に、リサイクル性、快適性（介助者の体圧分散性、むれ感等）の観点から、網状弾性体が好ましい。
【００２８】
この実施形態のクッション層１としては、熱可塑性合成樹脂の太糸をランダムな立体網目状に接合して、体積中の空間部分が全方向にランダムに連通形成された立体構造体を形成し、何れの方向にも通気性を有する肉厚さが約５ｍｍから９０ｍｍ程度で、平面視で長方形盤状の網状弾性体が使用され、一例としては、東洋紡績株式会社のブレスエアー（商品名、商標）と言った網状弾性体があげられる。
【００２９】
網状弾性体を形成する熱可塑性樹脂は、ポリオレフィン系、ポリエステル系、ポリウレタン系などの熱可塑性樹脂エラストマーが好ましく、より好ましくはポリエステル系熱可塑性エラストマーである。
【００３０】
ポリエステル系エラストマーとしては、熱可塑性ポリエステルをハードセグメントとし、ポリアルキレンジオールをソフトセグメントとするポリエステルエーテルブロック共重合体、又は、脂肪族ポリエステルをソフトセグメントとするポリエステルエーテルブロック共重合体が例示できる。
【００３１】
ポリエステルエーテルブロック共重合体のより具体的な事例としては、テレフタル酸、イソフタル酸、ナフタレン・２，６−ジカルボン酸、ナフタレン・２，７−ジカルボン酸、ジフェニル−４，４'−ジカルボン酸等の芳香族ジカルボン酸、１，４−シクロヘキサンジカルボン酸等の脂環族ジカルボン酸、琥珀酸、アジピン酸、セバチン酸、ダイマー酸等の脂肪族ジカルボン酸又は、これらのエステル形成性誘導体などから選ばれたジカルボン酸の少なくとも１種と、１，４・ブタンジオール、エチレングリコール、トレメチレングリコール、テトレメチレングリコール、ペンタメチレングリコール、ヘキサメチレングリコール等の脂肪族ジオール、１，1−シクロヘキサンジメタノール、１，４−シクロヘキサンジメタノール等の脂環族ジオール、又はこれらのエステル形成性誘導体などから選ばれたジオール成分の少なくとも1種，及び平均分子量が約３００〜５０００のポリエチレングリコール、ポリプロピレングリコール、ポリテトラメチレングリコール、エチレンオキシド−プロピレンオキシド共重合体等のポリアルキレンジオールのうち少なくとも１種から構成される三元ブロック共重合体である。
【００３２】
ポリエステルエステルブロック共重合体としては、上記ジカルボン酸とジオール及び平均分子量が約３００〜３０００のポリラクトン等のポリエステルジオールのうち少なくとも各１種から構成される三元ブロック共重合体である。
【００３３】
熱接着性、耐加水分解性、伸縮性、耐熱性等を考慮すると、ジカルボン酸としてはテレフタル酸、及び／又はナフタレン−２，６−ジカルボン酸、ジオール成分としては１，４・ブタンジオール、ポリアルキレンジオールとしてはポリテトラメチレングリコールの三元ブロック共重合体又は、ポリエステルジオールとしてのポリラクトンの三元ブロック共重合体が特に好ましい。
【００３４】
特殊な例では、ポリシロキサン系のソフトセグメントを導入したものも使うことができる。また、上記ポリエステルエラストマーは単独又は２種類以上混合して使用できる。更には、ポリエステルエラストマーに非エラストマー成分をブレンドされたもの、共重合したもの等も使用できる。
【００３５】
網状構造体は、抗菌性や撥水性、耐水性、耐熱性であることが好ましく、これらの特性を発揮させるために、原料の熱可塑性樹脂中にこれらの添加剤を含有させ、これらの特性を発揮する加工剤で処理することが好ましい。
【００３６】
網状構造体は、必要に応じて、可塑剤、安定剤、紫外線吸収剤、帯電防止剤、防黴剤、着色剤、酸化防止剤、難燃剤、消臭剤、抗菌剤、マイクロカプセル型等の熱膨張剤、加工助剤等の公知の添加剤を添加することができる。
【００３７】
このような構成にすることによって、例えば、図３に示すように、ベッドＢ上の長手方向中央部に、左右の開口２Ｃ，２Ｃ側がベッドＢの左右側方に向く載置状態にして、臀部周辺等の体部分を載置するための看護用マットＡを形成する。
【００３８】
そして、看護用マットＡに臀部を載置した場合、図４に示すように、臀部の形状に沿って接触圧が略均等な受止め状態でベッド面Ｂ１側にクッション層１が適度に沈み込んで、硬綿のように硬過ぎで沈み込みがないとか、ウレタンのように極端に沈み込むことがないために、望ましい寝姿勢が得られ、虚血状態を作り出しにくい状態にするとともに、ベッ
ドＢの左右側方に開放されたカバー２の開口２Ｃ，２Ｃによって、寝返りなどがなく臀部が動かない状態においては、空気が温度差によって外部空気がクッション層１内に取り込まれる通気状態になり、寝返りなどで僅かに臀部に動きがある場合においては、カバー２が鞴（ふいご）のように作用してクッション層１内が通気状態になり、何れの状態においてもクッション層１内に通気性が確保され、載置された臀部回りの湿気分が通気性素材からなるカバー２の上面層２Ａを通して取り除かれることになり、雑菌の繁殖等を抑制することができるので、褥瘡や床ずれを生じさせにくくすることができる環境を形成することができる。
【００３９】
また、このような環境にあれば、現状が褥瘡や床ずれ状態にあっても患部における、虚血や雑菌の繁殖を抑制することが可能であるので、患部の進行を抑制することが可能である。
【００４０】
さらに、この介護用マットＡによれば、カバー２の上面層２Ａが通気性素材で液体の透過性もよく、しかも、防水性素材であるカバー２の下面層２Ｂの存在によって、臀部が載置されるカバー部分は、クッション層１を介在して下面層２Ｂとは直接に接触することがないので、載置部分の通気性を確保しながら失禁などの排出液体がベッド面B１に浸透することを確実に阻止することができ、失禁用の介護用マットＡとして兼用に使用することができるので、より一層、介護ケアーの軽減化を図ることが可能である。
【００４１】
また、この介護用マットＡは、クッション層１とカバー２とに取外しによって簡単に分離することも、取付けによって簡単に組付けすることができ、しかも、両者は洗浄することができるので、衛生面に配慮された構成になっている。
ここで、この実施形態のカバー２の上面層２Ａはポリエステルから形成され、下面層２Ｂはウレタンから形成され、水の沸点より高温度側に両者の軟化点が存在しているので、両者を煮沸消毒することができ、衛生面で信頼性のある介護用マットＡを形成することができる。
【００４２】
この介護用マットＡは、人体部分に掛けられる布団から開口２Ｃ，２Ｃの一部又は全部が露出する状態で使用される場合が最も通気性が形成されるが、布団で閉じられていてもカバー２の鞴作用や熱対流によって通気性が形成される。ここで、鞴作用は、介護者による介助者の寝返り操作や、介助者自身の寝返りによって生じる。
【００４３】
また、この介護用マットＡの開口２Ｃ，２Ｃの大きさを換えることによって、通気性の大小を形成することができるので、複数種類に開口の大きさを換えたものを形成してもよいし、開口の大きさを自在に換えられるように、面ファスナー、ファスナー、ボタン等の開閉手段によって、開口の大きさを調節可能にしたもの、或は、開閉用の窓を複数設けて、状況にあわせた開口の大きさを形成することができるものであってもよい。
【００４４】
この介護用マットＡでは、開口２Ｃ，２Ｃがあるので厳冬期において暖房がない状態では寒いのではないかとの懸念に対しては、掛布団などで開口２Ｃ，２Ｃが閉じられる状態になるので、保温性は通常のマットと変わらない。しかも、このような状態下では、開口２Ｃ，２Ｃが閉じられていても蒸れることはない。
【００４５】
〔第２実施形態〕
この第２実施形態の介護用マットＡを、第１実施形態と異なる点を説明し、同構成部分には同符号を付してその詳細は省略する。
この介護用マットＡは、同構成の介護用マット同士を連結手段Ｃによって連結可能に構成されている。具体的には、図５に示すように、開口２Ｃ，２Ｃが形成されたクッション層１の一方の長辺１ｃ側に連結手段Ｃの係止部Ｃａを形成し、他方の長辺１ｄ側に係止手
段Ｃの係止受け部Ｃｂを形成して、介護用マットＡの係止部Ｃａに、同構成の介護用マットＡの係止受け部Ｃｂを係止して、同構成の介護用マットＡ，Ａ同士を連結することができるとともに、同構成の複数の介護用マットＡ・・・を一方向に連結することができる。
【００４６】
連結手段Ｃとしては、係止部Ｃａが面ファスナーのフック群面、係止受け部Ｃｂがフック群面と着脱自在に係合可能なループ群面となった構成、係止部Ｃａがボタン、係止受け部Ｃｂがボタン孔となった構成、係止部Ｃａが係止片、係止受け部Ｃｂが係止受け溝となった構成等が一例にあげられる。
【００４７】
また、この実施形態では、クッション層１の一方の長辺１ｃ側の端面に対応するカバー２部分に、連結手段Ｃの係止部Ｃａが形成され、クッション層１の他方の長辺１ｄ側の端面に対応するカバー２部分に、係止受け部Ｃｂが形成され、看護用マットＡ，Ａ同士の連結、又は、複数の介護用マットＡ・・・の一方向の連結において、連結された介護用マットＡ，Ａ同士に隙間が生じない構成になっている。
【００４８】
このように構成された複数の介護用マットＡを連結手段Ｃによって一方向に連結して、必要とする長さの看護用マットＡを形成することができる。
【００４９】
具体的には、ベッドＢの全面に敷設する長さに連結した介護用マットＡを形成して使用することも、必要な箇所のみに敷設する看護用マットＡを形成することができる。
【００５０】
〔別実施形態〕
１）  上記実施形態では、カバー２に一対の開口２Ｃ，２Ｃを形成したものを説明したが、一つの開口を形成するものであっても、３つ以上形成するのもであってもよい。
開口２Ｃの形成箇所は、人体部分が載置される部分を除く箇所がよく、看護用マットの周縁に沿って形成されるのが好適である。
【００５１】
２）  上記実施形態では、カバーが、上面層が通気性部材から形成され、下面層が防水性部材から形成されている看護用マットについて説明したが、本発明はこれに限らず、上面層と下面層の両層が通気性部材から形成されている看護用マットであってもよく、このような構成であれば、上記第１、第２実施形態のように失禁を兼ねる看護用マットとしては用いられないけれども、臀部以外の体部分を載置するマットとして用いることができる。
この場合、例えば、頭部、首部、胴部、腕部、脚部等に対応する大きさ、又は、幅や長さを有する体部分専用の介護用マットを形成するものであってもよく、血行不良の軽減用のマットや、痛みの軽減用マット等と言った看護用マットを形成するものであってもよい。
【００５２】
３）  本発明は、上記実施形態に限らず、例えば、カバーの開口側の両端部分にベッドなどに巻き込み固定するための帯体を取付けられたものであっても、開口に通気性を有する網状体を設けたものであってもよい。
【図面の簡単な説明】
【００５３】
【図１】本発明の第１実施形態の看護用マットを示す分解斜視図
【図２】看護用マットの全体を示す斜視図
【図３】看護用マットの使用状態を示す簡略斜視図
【図４】体部分を載置した状態を示す要部断面図
【図５】本発明の第２実施形態の看護用マットを示す斜視図
【符号の説明】
【００５４】
Ａ            介護用マット
１            クッション層
２            カバー
２Ａ          上面層
２Ｂ          下面層
２Ｃ          開口
Ｃ            連結手段
【図１】
2005034392.tif 000003
【図２】
2005034392.tif 000004
【図３】
2005034392.tif 000005
【図４】
2005034392.tif 000006
【図５】
2005034392.tif 000007